(57)【要約】【課題】  潤滑剤の塗布や頻繁なメンテナンスを必要とすることなく、鍵盤ピンの滑り性を長期間、維持することができるピアノの鍵支持装置を提供する。【解決手段】  前後方向に延び、かつ下面に開口する係合孔２ｅを有し、係合孔２ｅの壁面にブッシングクロス７が貼り付けられた鍵２を揺動自在に支持するピアノの鍵支持装置１であって、棚板８の上面に載置された筬４と、筬４に立設され、鍵２が係合孔２ｅを介して係合するとともに、押鍵に伴って鍵２が揺動する際に、ブッシングクロス７が摺動する鍵盤ピン１０と、を備え、鍵盤ピン１０の表面に、フッ素樹脂を含むコーティング層１０ａが形成されていることを特徴とする。【選択図】  図２
2010002848.tif 000002
【特許請求の範囲】
【請求項１】
前後方向に延び、かつ下面に開口する係合孔を有し、当該係合孔の壁面にブッシングクロスが貼り付けられた鍵を揺動自在に支持するピアノの鍵支持装置であって、
棚板の上面に載置された筬と、
当該筬に立設され、前記鍵が前記係合孔を介して係合するとともに、押鍵に伴って前記鍵が揺動する際に、前記ブッシングクロスが摺動する鍵盤ピンと、を備え、
当該鍵盤ピンの表面に、フッ素樹脂を含むコーティング層が形成されていることを特徴とするピアノの鍵支持装置。
【請求項２】
前記係合孔は、前記鍵の前端部に形成されたフロントピン穴であり、
前記鍵盤ピンは、前記フロントピン穴が係合し、前記鍵を左右方向にぶれないように案内するためのフロントピンであることを特徴とする請求項１に記載のピアノの鍵支持装置。
【請求項３】
前記鍵盤ピンの前記筬に埋め込まれる部位の表面に、前記鍵盤ピンの保持力を高めるための凹凸が形成されていることを特徴とする請求項１に記載のピアノの鍵支持装置。
【発明の詳細な説明】
【技術分野】
【０００１】
本発明は、鍵を揺動自在に支持するピアノの鍵支持装置に関する。
【背景技術】
【０００２】
従来のこの種のピアノの鍵支持装置として、例えば、特許文献１に開示されたものが知られている。この鍵支持装置では、筬の前後方向の中央にバランスピンが立設され、筬の前端部にフロントピンが立設されている。鍵の中央には、上下方向に貫通するバランスピン孔が形成されており、このバランスピン孔がバランスピンに通されることにより、鍵は筬にバランスピンを中心として揺動自在に支持されている。また、鍵の前端部には、下面に開口するフロントピン穴が形成されており、このフロントピン穴がフロントピンに係合することによって、鍵の左右方向のぶれが規制される。これらのバランスピンおよびフロントピンは、通常、表面にニッケルメッキが施された真ちゅうで構成されている。
【０００３】
さらに、鍵のバランスピン孔およびフロントピン穴の左右の壁面には、人工皮革で構成された左右のブッシングクロスが貼り付けられている。押鍵に伴う鍵の揺動時、これらのブッシングクロスが、バランスピンやフロントピンに摺接することによって、鍵の滑らかな動作が確保されるとともに、雑音が防止される。
【０００４】
しかし、ピアノの長期の使用により、鍵の押鍵が繰り返されると、鍵のブッシングクロスとこれに摺接するフロントピンやバランスピンとの摩擦によって、フロントピンなどの傷付きや、ブッシングクロスの摩耗および焼き付きが生じ、それにより、摩擦が増大することによって、鍵の滑らかな動作が阻害され、演奏に支障をきたすことがある。特に、フロントピンの場合には、鍵の支点から遠い位置に配置されているため、ブッシングクロスとの摩擦が大きくなりがちであることで、ブッシングクロスの摩耗などが生じやすいとともに、そのような摩耗などが一旦生じると、鍵の動作への悪影響が顕著に現われてしまう。このため、この従来の鍵支持装置では、ブッシングクロスとフロントピンとの良好な滑り性を長期間、維持するために、製造時にブッシングクロスやフロントピンにシリコンオイルなどの潤滑剤を塗布したり、あるいは、滑り性を維持または回復するためのメンテナンスを頻繁に行ったりすることが必要になる。
【０００５】
本発明は、潤滑剤の塗布や頻繁なメンテナンスを必要とすることなく、鍵盤ピンの滑り性を長期間、維持することができるピアノの鍵支持装置を提供することを目的とする。
【０００６】
【特許文献１】特開２００５ー５５６５１号公報
【発明の開示】
【課題を解決するための手段】
【０００７】
この目的を達成するために、請求項１に係る発明は、前後方向に延び、かつ下面に開口する係合孔を有し、係合孔の壁面にブッシングクロスが貼り付けられた鍵を揺動自在に支持するピアノの鍵支持装置であって、棚板の上面に載置された筬と、筬に立設され、鍵が係合孔を介して係合するとともに、押鍵に伴って鍵が揺動する際に、ブッシングクロスが摺動する鍵盤ピンと、を備え、鍵盤ピンの表面に、フッ素樹脂を含むコーティング層が形成されていることを特徴とする。
【０００８】
この構成によれば、筬に立設された鍵盤ピンに、鍵の係合孔が係合しており、鍵が押鍵に伴って揺動する際に、係合孔に貼り付けられたブッシングクロスが鍵盤ピンに沿って摺動する。
【０００９】
本発明によれば、鍵盤ピンの表面に、フッ素樹脂を含むコーティング層が形成されているので、鍵のブッシングクロスと鍵盤ピンとの間で発生する摩擦を低減することができる。それにより、鍵盤ピンの傷付きや、ブッシングクロスの摩耗および焼き付きが生じにくくなり、その結果、ブッシングクロスと鍵盤ピンとの摩擦を小さい状態に長時間、維持できる。これにより、潤滑剤の塗布や頻繁なメンテナンスを必要とすることなく、鍵盤ピンの滑り性を長期間、維持することができる。
【００１０】
請求項２に係る発明は、請求項１に記載のピアノの鍵支持装置において、係合孔は、鍵の前端部に形成されたフロントピン穴であり、鍵盤ピンは、フロントピン穴が係合し、鍵を左右方向にぶれないように案内するためのフロントピンであることを特徴とする。
【００１１】
この構成によれば、鍵の前端部に形成されたフロントピン穴が、鍵盤ピンとしてのフロントピンに係合しており、フロントピンによる案内によって、鍵の左右方向のぶれが規制される。前述したように、フロントピンの場合には、鍵の支点から遠い位置に配置されているため、ブッシングクロスとの摩擦が大きくなりがちであることで、ブッシングクロスの摩耗などが生じやすいとともに、それによる鍵の動作への悪影響が顕著に現れやすい。
【００１２】
本発明によれば、フロントピンの表面にフッ素樹脂を含むコーティング層が形成されているので、前述した請求項１の作用を効果的に得ることができる。
【００１３】
請求項３に係る発明は、請求項１に記載のピアノの鍵支持装置において、鍵盤ピンの筬に埋め込まれる部位の表面に、鍵盤ピンの保持力を高めるための凹凸が形成されていることを特徴とする。
【００１４】
この構成によれば、鍵盤ピンの筬に埋め込まれる部位の表面に凹凸が形成されており、この凹凸によって鍵盤ピンの保持力が高められる。したがって、鍵盤ピンにコーティング層が形成される鍵盤ピンの保持力の低下分を、凹凸による保持力で補うことができる。その結果、鍵盤ピンの保持力が保たれることによって、鍵盤ピンのぐらつきや筬からの離脱などを防止することができる。
【発明を実施するための最良の形態】
【００１５】
以下、図面を参照しながら、本発明の好ましい実施形態について詳細に説明する。図１は、本発明の実施形態によるグランドピアノの鍵盤を部分的に示している。同図に示すように、この鍵盤は、複数の鍵１（白鍵２および黒鍵３、それぞれ１つのみ図示）と、これらの鍵１を支持する筬４などを備えている。以下の説明では、演奏者側から見たときのピアノの手前側を「前」、奥側を「後」として説明する。
【００１６】
白鍵２は、前後方向に延びる鍵本体２ａと、その前部の上面から前面にわたって貼り付けられた白鍵カバー２ｂなどで構成されている。白鍵カバー２ｂは、側面形状がＬ字状の合成樹脂製の薄い板で構成されている。また、鍵本体２ａは、例えばスプルスなどの木質材で構成され、矩形の断面を有し、前端部の幅は、その後ろ側の部分よりも広くなっている。鍵本体２ａの上面中央には中座板５が貼り付けられている。
【００１７】
白鍵２の中央には、鍵本体２ａから中座板５にわたって、上下方向に貫通するバランスピン孔２ｄが形成されている。図２に示すように、バランスピン孔２ｄは、下端部が丸孔で構成され、その上側の部分は、下端部の前後両側に延びている。また、このバランスピン孔２ｄには、その左右の壁面から中座板５の上面まで、左右一対のブッシングクロス６、６が貼り付けられている。これらのブッシングクロス６、６は、羊毛製のクロスで構成されている。  
【００１８】
また、図３に示すように、鍵本体２ａの前端部の下面には、フロントピン穴２ｅが形成されている。このフロントピン穴２ｅは、鍵本体２ａの下面に開口し、鍵本体２ａの上面付近まで延びるとともに、前後方向に延びている。また、フロントピン穴２ｅには、その左右の壁面から鍵本体２ａの下面まで、左右一対のブッシングクロス７、７が貼り付けられている。これらのブッシングクロス７、７もまた、羊毛製のクロスで構成されている。
【００１９】
黒鍵３は、白鍵２の鍵本体２ａよりも短い鍵本体３ａと、その前部に貼り付けられた黒鍵カバー３ｂなどを備えている。白鍵２および黒鍵３は、互いにほぼ同じ構成を有するので、同様の構成については説明を省略する。
【００２０】
筬４は、棚板８に載置されており、前側から順に互いに間隔を隔てて設けられた筬前４ａ、筬中４ｂおよび筬後４ｃで構成されており、これらは左右方向に延びている。
【００２１】
筬中４ｂには、多数のバランスピン９が白鍵２および黒鍵３ごとに立設されている。このバランスピン９は、例えば真ちゅうで構成され、その表面にニッケルのめっきが施されており、筬中４ｂに打ち込みによって取り付けられる。また、バランスピン９には、リング状のバランスパンチングクロス１２が通されており、このバランスパンチングクロス１２は、筬中４ｂに載せられている。
【００２２】
白鍵２は、そのバランスピン孔２ｄを介してバランスピン９に係合しており、それにより、バランスピン９を中心として、筬中４ｂに揺動自在に支持されている。
【００２３】
筬前４ａには、多数のフロントピン１０が白鍵２および黒鍵３ごとに立設されている。図４に示すように、フロントピン１０の基端部は、その表面にローレット加工を施したローレット部１０ｂになっている。フロントピン１０は、このローレット部１０ｂの部分を筬前４ａに打ち込むことによって、筬前４ａに取り付けられている
【００２４】
フロントピン１０は、例えば真ちゅうで構成され、図５に示すように、その表面には、コーティング層１０ａが形成されている。このコーティング層１０ａは、例えば、ＰＴＦＥ（ポリテトラフルオロエチレン（４フッ化））などのフッ素樹脂を含むニッケルで構成されており、このため、表面が硬く、滑り性および耐摩耗性に優れている。コーティング層１０ａは、例えば、フロントピン１０を所定量のフッ素樹脂を添加したニッケルのめっき液に、ローレット部１０ｂを形成したフロントピン１０全体を浸漬することによって形成される。
【００２５】
また、フロントピン１０には、リング状のフロントパンチングクロス１１が通されており、このフロントパンチングクロス１１は、筬前４ａに載せられている。
【００２６】
以上の構成のフロントピン１０に、白鍵２がフロントピン穴２ｅを介して係合しており、それにより、フロントピン１０による案内によって、白鍵２の左右方向のぶれが規制される。
【００２７】
筬後４ｃの上面には、クロスなどで構成された鍵盤枕１３が貼り付けられている。離鍵状態では、鍵本体２ａの後端部が、鍵盤枕１３に着座している。
【００２８】
以上の構成により、白鍵２が押鍵されると、白鍵２は、バランスピン９を中心として揺動する。この白鍵２の揺動の際、バランスピン孔２ｄに設けられたブッシングクロス６がバランスピン９に沿って摺動し、また、フロントピン穴２ｅに設けられたブッシングクロス７がフロントピン１０に沿って摺動する。
【００２９】
本実施形態によれば、フロントピン１０にフッ素樹脂を含むコーティング層１０ａが形成されているので、ブッシングクロス７とフロントピン１０との間で発生する摩擦を低減することができる。それにより、フロントピン１０の傷付きや、ブッシングクロス７の摩耗および焼き付きが生じにくくなり、その結果、ブッシングクロス７とフロントピン１０との摩擦を小さい状態に長時間、維持できる。これにより、潤滑剤の塗布や頻繁なメンテナンスを必要とすることなく、フロントピン１０の滑り性を長期間、維持することができる。
【００３０】
また、フロントピン１０は、そのローレット部１０ｂを筬前４ａに打ち込むことによって、筬前４ａに取り付けられているので、ローレット部１０ｂによって、フロントピン１０の保持力が高められる。したがって、フロントピン１０にフッ素樹脂を含むコーティング層１０ａが形成されることによるフロントピン１０の保持力の低下分を、ローレット部１０ｂによる保持力で補うことができる。その結果、フロントピン１０の保持力が保たれることによって、フロントピン１０のぐらつきや筬前４ａからの離脱などを防止することができる。
【００３１】
なお、本発明は、上述した実施形態に限定されることなく、種々の態様で実施することができる。例えば、実施形態のコーティング層１０ａをバランスピン９の表面に形成することによって、ブッシングクロス６とバランスピン９との間で発生する摩擦を低減するように構成してもよい。また、実施形態では、フロントピン１０の表面の凹凸をローレット加工によって形成しているが、他の形成方法を採用してもよいことはもちろんである。その他、細部の構成を、本発明の趣旨の範囲内で適宜、変更することが可能である。
【図面の簡単な説明】
【００３２】
【図１】本発明のピアノの鍵支持装置を示す斜視図である。
【図２】図１のＢ−Ｂ線断面図である
【図３】図１のＡ−Ａ線断面図である。
【図４】フロントピンの正面図である。
【図５】図４のＣ−Ｃ線断面図である。
【符号の説明】
【００３３】
１  鍵（鍵支持装置）
２  白鍵（鍵）
２ｄ、３ｃ  バランスピン孔（係合孔）
２ｅ  フロントピン穴（係合孔）
３  黒鍵（鍵）
４  筬
６、７  ブッシングクロス
８  棚板
９  バランスピン（鍵盤ピン）
１０  フロントピン（鍵盤ピン）
１０ａ  コーティング層
１０ｂ  ローレット部（凹凸）
【図１】
2010002848.tif 000003
【図２】
2010002848.tif 000004
【図３】
2010002848.tif 000005
【図４】
2010002848.tif 000006
【図５】
2010002848.tif 000007